(57)【要約】  【課題】  自然本来の景観及び生態系に配慮し、さらに水質浄化をも達成する護岸・護床工事方法の提供、特に外国産の天然石に付着した菌類による我が国の生態系への悪影響の防止に有効な天然石の菌交代方法の提供、及び護岸・護床工事方法での使用に適する有用微生物群を備えた天然石、裏込材及び吸出防止材の提供。  【解決手段】  護岸・護床工事において、材料として使用する石材、裏込材、吸出防止材及び土壌からなる群から選択される一種以上として、有用微生物群を保持してなるものを用いる。  ＥＭ活性液の１〜１０，０００倍希釈水溶液に、石全体を完全に浸漬させた状態を０．５時間以上保持することにより、石に付着していた細菌類を、有用微生物群で代替させる。  有用微生物群保持天然石、有用微生物群保持裏込材及び有用微生物群保持吸出防止材を用いる。【選択図】  図１
2005282031.tif 000002
【特許請求の範囲】
【請求項１】
護岸・護床工事において、材料として使用する石材、裏込材、吸出防止材及び覆土からなる群から選択される一種以上として、有用微生物群を保持してなるものを用いることを特徴とする護岸・護床工事方法。
【請求項２】
石材、裏込材、吸出防止材及び覆土からなる群から選択される一種以上が、さらに、有用微生物群が作り出す抗酸化物質をも保持している、請求項１に記載の護岸・護床工事方法。
【請求項３】
護岸・護床工事方法がコンクリートを使用しない工法である、請求項１又は２に記載の護岸・護床工事方法。
【請求項４】
コンクリートを使用しない工法が空石積工法又は空石張工法である、請求項３に記載の護岸・護床工事方法。
【請求項５】
ＥＭ活性液の１〜１０，０００倍希釈水溶液に、石全体を完全に浸漬させた状態を０．５時間以上保持することを特徴とする天然石の菌交代方法。
【請求項６】
前記希釈水溶液が、さらに、有用微生物群が作り出す抗酸化物質をも含有している、請求項５に記載の天然石の菌交代方法。
【請求項７】
有用微生物群を保持してなることを特徴とする有用微生物群保持天然石。
【請求項８】
有用微生物群保持天然石が、請求項５又は６に記載の方法によって調製されたものである、請求項７に記載の有用微生物群保持天然石。
【請求項９】
有用微生物群を保持してなることを特徴とする有用微生物群保持裏込材。
【請求項１０】
有用微生物群保持裏込材が、請求項５又は６に記載の方法によって調製されたものである、請求項９に記載の有用微生物群保持裏込材。
【請求項１１】
有用微生物群を保持してなることを特徴とする有用微生物群保持吸出防止材。
【発明の詳細な説明】
【技術分野】
【０００１】
本発明は、有用微生物群を利用した河川、湖沼、海、ダム、池等の護岸・護床工事方法、天然石の菌交代方法、及び有用微生物群を備えた天然石、裏込材及び吸出防止材に関する。
【背景技術】
【０００２】
従来、河川改修等の水環境の整備工事においては、主としてコンクリート製品が用いられてきた。その結果、川岸等が、自然本来のものとは異なる人工の景観に変ってしまっていた。また、このようなコンクリート製品を使用した水環境の整備工事は、景観のみならず、生態系へも影響を与えていた。
【０００３】
近年になり、ようやく、なるべく自然の景観を保持し、又は自然に近い景観を与え、生態系への影響も少ない水環境の整備工事方法が提案されるようになってきた。しかし、このような取り組みも、コンクリートに代って石や木材といった自然の材料をなるべく使用するに留まっている。
【０００４】
ところで、コンクリートに代って用いられる石であるが、我が国では様々な規制により採石が困難となっているのみならず、我が国の採石場の中には石材資源が枯渇してしまったところもあるため、近年は、韓国や中国からの輸入に頼っている。
【０００５】
しかし、外国産の石には、採石場所に特有の菌類が付着している可能性がある。そのような外国産の石が我が国における護岸・護床工事で使用されると、採石場所に特有の菌類が増殖し、それによって我が国の生態系が乱されるおそれがある。
【０００６】
一方、我が国で２０年以上前に開発された有用微生物群（以下、「ＥＭ」ということがある）が、環境浄化を目的として使用されてきている。ＥＭは、抗酸化性を示す物質を作り出し、この物質の作用により、様々な効果がもたらされると考えられている。
【０００７】
特許文献１には、ＥＭを付着、混入させたトイレットペーパーを使用することにより、下水道、ひいては下水道処理施設で処理された廃液が流入する河川及び海の環境改善が可能となる旨が記載されている。
【０００８】
特許文献２には、河川や海岸の堤防等において使用されるコンクリート製水工用ブロックにＥＭを介在させることにより、ブロック周辺における水質の悪化を防止する旨が記載されている。
【０００９】
特許文献３には、ＥＭを用いて調製された土壌基盤材を、法面緑化用吹付基盤材や各種客土用資材として用いることが記載されている。
【００１０】
特許文献４には、ＥＭを混入せしめてなる土壌改良資材を、法面の緑化のために使用することが記載されている。
【００１１】
特許文献５には、汚染地下水の浄化のためにＥＭを使用することが記載されている。
【００１２】
【特許文献１】特開２００３−９００００号公報
【特許文献２】特開平１０−２８０３６３号公報
【特許文献３】特開２００１−４８６８７号公報
【特許文献４】特開平１１−１５２７５１号公報
【特許文献５】特開平１１−３３３４９３号公報
【発明の開示】
【発明が解決しようとする課題】
【００１３】
本発明は、自然本来の景観及び生態系に配慮し、さらに水質浄化をも達成する護岸・護床工事方法の提供を目的とする。
【００１４】
また、本発明は、特に外国産の天然石に付着した菌類による我が国の生態系への悪影響の防止に有効な天然石の菌交代方法の提供を目的とする。
【００１５】
さらに、本発明は、上記護岸・護床工事方法での使用に適する有用微生物群を備えた天然石、裏込材及び吸出防止材の提供を目的とする。
【課題を解決するための手段】
【００１６】
本発明者らは、上記目的を達成すべく鋭意努力し、その結果として本発明をなした。
【００１７】
即ち、本願第一の発明は、護岸・護床工事において、材料として使用する石材、裏込材、吸出防止材及び覆土からなる群から選択される一種以上として、有用微生物群を保持してなるものを用いることを特徴とする護岸・護床工事方法に関する。
【００１８】
石材、裏込材、吸出防止材及び覆土からなる群から選択される一種以上は、さらに、有用微生物群が作り出す抗酸化物質をも保持していることが好ましい。
【００１９】
本発明の護岸・護床工事方法は、護岸・護床工事方法がコンクリートを使用しない工法、例えば空石積工法又は空石張工法であるという態様を包含する。なお、これらの工法の具体的態様は、当業者には公知である。
【００２０】
また、本願第二の発明は、ＥＭ活性液の１〜１０，０００倍希釈水溶液に石全体を完全に浸漬させた状態を０．５時間以上保持することを特徴とする天然石の菌交代方法に関する。
【００２１】
前記希釈水溶液が、さらに、有用微生物群が作り出す抗酸化物質をも含有しているものであることが好ましい。
【００２２】
本願第三の発明は、有用微生物群を保持してなることを特徴とする有用微生物群保持天然石に関する。
【００２３】
この有用微生物群保持天然石には、本願第二の発明の方法によって調製されたものが包含される。
【００２４】
また、有用微生物群保持天然石は、石材に穴を開け、その穴にＥＭ有機団子を充填したものであってもよい。
【００２５】
本願第四の発明は、有用微生物群を保持してなることを特徴とする有用微生物群保持裏込材に関する
この有用微生物群保持裏込材には、本願第二の発明の方法によって調製されたものが包含される。
【００２６】
本願第五の発明は、有用微生物群を保持してなることを特徴とする有用微生物群保持吸出防止材に関する。
【００２７】
有用微生物群保持吸出防止材は、例えば、ＥＭ活性液の１〜１０，０００倍希釈水溶液に、吸出防止材を０．５時間以上浸漬し、その後乾燥させることによって製造することができる。
【発明の効果】
【００２８】
本発明の護岸・護床工事では、材料として用いる石材、裏込材、吸出防止材及び覆土の中の一種以上が有用微生物群を保持しているので、工事終了後に工事個所周辺の水質が改善、浄化される。
【００２９】
護岸・護床工事方法がコンクリートを使用しない工法である場合には、生態系への悪影響がないのみならず、工事後にも自然の景観が保持され又は自然に近い景観が提供される。
【００３０】
本発明の天然石の菌交代方法によれば、その石が配置される場所の周囲の環境を改善する効果のある天然石が容易に得られる。
【００３１】
この方法を外国産の石に適用すれば、外国産の石に付着して我が国に入ってくる菌類による我が国の生態系への悪影響を、未然に防止することができる。
【００３２】
本発明の有用微生物群保持天然石、有用微生物群保持裏込材、有用微生物群保持吸出防止材は、護岸・護床工事等において使用されると、工事終了後に工事個所周辺の水質を改善、浄化する。
【発明を実施するための最良の形態】
【００３３】
以下に、本発明を詳細に説明する。
【００３４】
「有用微生物群」とは、自然界に存在する微生物の中、人体に無害であって、有害菌の除去その他に有効であるとして選択された微生物群をいう。このような有用微生物群を構成することができる微生物は、光合成細菌群、酵母菌群、乳酸菌群、発酵糸状菌群、グラム陽性の放線菌群の５群、１０族に分けられ、８０余種が知られている。
【００３５】
本発明において用いられる有用微生物群は、上記８０余種の微生物すべてを含むもののみに限定されるものではない。例えば、上記５群のそれぞれから性質の異なるものを数種ずつ選択して、それらを共生させたものであってもよい。
【００３６】
なお、有用微生物群を含む商品としては、株式会社ＥＭ研究所及び有限会社サン興産業が製造しているＥＭ１号、ＥＭ２号、ＥＭ３号、ＥＭ４号、ＥＭ１０３号、ＥＭボカシ１型、ＥＭボカシ２型、ＥＭＷ、みのり産業株式会社のミノラーゼ及び三井ホーム株式会社のマムパウダー等が知られている。
【００３７】
また、有用微生物群が作り出す抗酸化物質を含有する商品としては、株式会社丸石窯業製のセラミック粉末である発酵Ｃ、株式会社ＥＭ研究所及び有限会社サン興産業が製造しているＥＭ・Ｘ清涼飲料水、ＥＭ・Ｘセラミックス、ＥＭ・Ｚ等が知られている。
【００３８】
本願第一の発明は、護岸・護床工事に関する。
【００３９】
はじめに、本願第一の発明の好適例を、図面を参照しながら説明する。
【００４０】
例えば図１に示す空石積工法では、護岸の土壌１（その表面は、斜面となっている）の表面上に、吸出防止材３を設置する。次いで、吸出防止材３上に、補強部材係止具５を配置させる。その後、補強部材６付きの石材７を積み、補強部材６を補強部材係止具５に留め、石材７と吸出防止材３との間には裏込材９を充填する。表面には、覆土１１を盛る。
【００４１】
また、例えば図２に示す空石張工法では、護岸の斜面部分から底面部分の一部にかけて、土壌１の表面上に、吸出防止材３を設置する。次いで、吸出防止材３上に、ネット４を配置させる。その後、補強部材６付きの石材７を設置し、ネット４と石材７との間や石材７，７間には、覆土１１を充填する。
【００４２】
なお、図１及び図２において、番号１０で示されているものは、水である。
【００４３】
ここで、石材とは、従来より護岸工事や護床工事で使用されている石である。その例を挙げると、玉石、割石等の天然石、コンクリート製やゴミ焼却灰製の煉瓦、ガラス、セラミックス等の石状物がある。本発明においては、天然石を用いることが好ましい。
【００４４】
裏込材とは、ぐり石、砕石等の小石のことである。裏込材は、通常は、石材よりも内部（土壌側）に埋め込まれる。
【００４５】
吸出防止材の原料には、様々のものが使用されているが、例えば、ヤシ繊維等の天然繊維、ポリエステル繊維等の合成繊維が挙げられる。
【００４６】
覆土は、工事がなされる場所に元々存在するものであってもよいし、客土であってもよい。
【００４７】
本願第一の発明では、材料として使用する石材、裏込材、吸出防止材及び土壌からなる群から選択される一種以上として、有用微生物群を保持してなるものを用いる。
【００４８】
これらの材料に有用微生物群を保持させる方法は、特に限定されないが、例えば以下の通りである。
【００４９】
石材に関しては、工事で使用する石材を、その石材が完全に浸かる量の、ＥＭ活性液の１〜１０，０００倍希釈水溶液に、０．５時間以上浸漬する。
【００５０】
なお、希釈水溶液は、ＥＭ活性液の１〜１，０００倍希釈液であることが好ましく、１０〜１００倍希釈液であることがさらに好ましい。
【００５１】
浸漬時間は、ＥＭ活性液の濃度及び浸漬環境の温度に依存する。有用微生物群には、耐熱性の高いものも低いものも含まれているので、浸漬時の温度は、７０℃以下とする。通常は常温で浸漬を行うが、１６〜４０℃が特に好ましい。
【００５２】
例えば１６〜４０℃程度で浸漬を行う場合には、ＥＭ活性液そのもの（１倍希釈液）であれば、浸漬時間は０．５〜６時間程度、一般的には１〜３時間程度であり、ＥＭ活性液の１００倍希釈液であれば、浸漬時間は１〜２４時間程度、一般的には３〜６時間程度である。
【００５３】
ＥＭ活性液のＸ倍希釈液から取り出した石材は、特に乾燥させる必要はない。放置による自然乾燥で充分である。
【００５４】
石材に有用微生物群を保持させる方法として、石材に常法によって穴を開け、その穴にＥＭ有機団子を充填することにより、石材に有用微生物群を保持させてもよい。
【００５５】
なお、ＥＭ有機団子とは、ＥＭボカシ１型又はＥＭボカシ１型とＥＭセラミックス粉末との混合物に、魚のあら等を加え、得られた混合物をＥＭ蘇生利器（朝明精工株式会社製）にて１日から１週間ほど発酵させて得られる粉末に、水又はＥＭ活性液と糖蜜とを加えて団子状にしたものである。
【００５６】
ＥＭを保持した裏込材は、工事で使用する小石を、ＥＭ活性液の１〜１０，０００倍希釈水溶液にその小石全体が完全に浸漬された状態で０．５時間以上浸漬することによって調製される。
【００５７】
なお、希釈水溶液は、ＥＭ活性液の１〜１，０００倍希釈液であることが好ましく、１０〜１００倍希釈液であることがさらに好ましい。
【００５８】
浸漬時間は、ＥＭ活性液の濃度及び浸漬環境の温度に依存する。浸漬時の温度は、７０℃以下とする。通常は常温で浸漬を行うが、１６〜４０℃が特に好ましい。
【００５９】
例えば１６〜４０℃程度で浸漬を行う場合には、ＥＭ活性液そのもの（１倍希釈液）であれば、浸漬時間は０．５〜６時間程度、一般的には１〜３時間程度であり、ＥＭ活性液の１００倍希釈液であれば、浸漬時間は１〜２４時間程度、一般的には３〜６時間程度である。
【００６０】
ＥＭ活性液のＸ倍希釈液から取り出した小石は、特に乾燥させる必要はない。放置による自然乾燥で充分である。
【００６１】
ＥＭを保持した吸出防止材は、市販の吸出防止材を、ＥＭ活性液の１〜１０，０００倍希釈水溶液に全体が完全に浸漬された状態で０．５時間以上浸漬することによって調製される。
【００６２】
なお、希釈水溶液は、ＥＭ活性液の１〜１，０００倍希釈液であることが好ましく、１０〜１００倍希釈液であることがさらに好ましい。
【００６３】
浸漬時間は、ＥＭ活性液の濃度及び浸漬環境の温度に依存する。浸漬時の温度は、７０℃以下とする。通常は常温で浸漬を行うが、１６〜４０℃が特に好ましい。
【００６４】
例えば１６〜４０℃程度で浸漬を行う場合には、ＥＭ活性液そのもの（１倍希釈液）であれば、浸漬時間は０．５〜６時間程度、一般的には１〜３時間程度であり、ＥＭ活性液の１００倍希釈液であれば、浸漬時間は１〜２４時間程度、一般的には３〜６時間程度である。
【００６５】
ＥＭを保持した覆土は、重量で土の０．０１〜１倍の、ＥＭ活性液の１〜１０，０００倍希釈水溶液を土に撒き、よく混ぜることによって調製する。混ぜた後に、１６〜４０℃にて７日以上発酵させることが好ましい。
【００６６】
なお、希釈水溶液は、ＥＭ活性液の１〜１，０００倍希釈液であることが好ましく、１０〜１００倍希釈液であることがさらに好ましい。また、希釈水溶液の量は、重量で土の０．１〜１倍であることが好ましく、０．２〜０．７倍であることがさらに好ましい。
【００６７】
上で説明した各種浸漬処理に際し、ＥＭ活性液のＸ倍希釈液に、有用微生物群が作り出す抗酸化物質をも含有させておけば、浸漬処理後の石材等は、当初から、有用微生物群のみならず、それらが作り出す抗酸化物質をも保持しているものとなる。
【００６８】
石材等に有用微生物群が付着していることは、例えば、ライフ・フィールド・アナライザー（株式会社ライフフィールド総合研究所製）による波動の測定によって確認することができる。
【００６９】
本願第二の発明は、ＥＭ活性液の１〜１０，０００倍希釈水溶液に、石全体を完全に浸漬させた状態を０．５時間以上保持することを特徴とする天然石の菌交代方法に関する。
【００７０】
本願第二の発明の詳細は、本願第一の発明で材料として使用する石材や裏込材の調製方法として、先に説明した通りである。
【００７１】
本願第三の発明は、有用微生物群を保持してなることを特徴とする有用微生物群保持天然石に関する。本願第一の発明に関連して、有用微生物群を保持してなる石材を説明したが、そのような石材の中、有用微生物群を保持させる材料として天然石を使用したものが、本願第三の発明の有用微生物群保持天然石である。したがって、その具体的態様及び製造方法の例も、本願第一の発明に関連して、有用微生物群を保持してなる石材について説明したとおりである。
【００７２】
本願第四の発明は、有用微生物群を保持してなることを特徴とする有用微生物群保持裏込材に関する。その具体的態様及び製造方法の例は、本願第一の発明に関連して、有用微生物群を保持してなる裏込材について説明したとおりである。
【００７３】
本願第五の発明は、有用微生物群を保持してなることを特徴とする有用微生物群保持吸出防止材に関する。その具体的態様及び製造方法の例は、本願第一の発明に関連して、有用微生物群を保持してなる吸出防止材について説明したとおりである。
【００７４】
以下に、実施例により、本発明をより具体的に説明する。
【実施例１】
【００７５】
有用微生物群保持天然石の生簀での使用
（ＥＭ活性液の調製）
ＥＭ−１（株式会社ＥＭ研究所製）２リットル及び糖蜜４リットルに水を加えて全量を２００リットルとした。これを百倍利器（朝明精工株式会社製）中に７日間放置し、ＥＭ活性液を得た。より具体的には、百倍利器内からサンプリングした試料のｐＨを測定し、ｐＨが３．５以下となったところで、ＥＭ活性液を取り出した。
【００７６】
（有用微生物群保持天然石の調製）
佐山川から、約３５ｃｍ×３５ｃｍ×３５ｃｍの大きさの石を採取した。この石を、ＥＭ活性液の１０倍希釈液に浸漬し、常温に放置した。２４時間後に、ＥＭ活性液から石を取り出した。
【００７７】
（生簀での水浄化実験）
佐山川から水を引いてヤマメ約２００匹を養殖している生簀３個所を使用して、実験を行った。生簀３個所の中、１個所にのみ、有用微生物群保持天然石２０個を置いた。この生簀を、生簀Ａという。他の２個所の生簀を、生簀Ｂ及び生簀Ｃという。
【００７８】
実験開始から６０日間、３個所の生簀の状態を観察したところ、生簀Ａでは、生簀Ｂ及び生簀Ｃと比べてヘドロの堆積が少なかった。また、魚の死亡率は、生簀Ｂ及び生簀Ｃがそれぞれ約１０％、約１２％であったのに対し、生簀Ａは約１％と非常に低かった。
【００７９】
実験開始から３ヶ月日後に観察したところ、有用微生物群保持天然石には苔が生えていた。
【実施例２】
【００８０】
有用微生物群保持裏込材の使用
（有用微生物群保持裏込材の調製）
一辺４０ｍｍ以下の大きさの小石（裏込材として使用されるもの）を用意した。これらの小石を、実施例１と同様の方法で調製したＥＭ活性液の１００倍希釈液に浸漬し、常温に放置した。２４時間後に、ＥＭ活性液から小石を取り出した。
【００８１】
（植木鉢での植物の育成実験）
直径約２０ｃｍの植木鉢の底に、有用微生物群を保持した小石（裏込材）５個を敷き詰め、その上に培養土等の園芸用土を入れた。この土に水仙の球根を植え、花を咲かせた。別の植木鉢を用い、有用微生物群を保持していない小石を使用したこと以外は同様の方法で、水仙の花を咲かせた。
【００８２】
有用微生物群を保持した小石を敷き詰めた植木鉢の方が、花持ちがよく、また、花が枯れた後の球根の大きさが大きかった。
【実施例３】
【００８３】
有用微生物群保持吸出防止材の使用
（有用微生物群保持吸出防止材の調製）
吸出防止材（株式会社田中製、ニードフルマットＡＰＳ−１０、１．８ｍ×１．８ｍ）を、実施例１と同様の方法で調製したＥＭ活性液の１００倍希釈液１０リットルに浸漬し、常温に放置した。２４時間後に、吸出防止材を取り出し、脱水機にかけて脱水した。
【００８４】
３坪（９．９ｍ２）の畑の中、１坪（３．３ｍ２）にのみ、有用微生物群保持吸出防止材を埋めた。この吸出防止材の位置は、深さ２０ｃｍとした。畑全体に芝生を敷き詰めた。
【００８５】
実験開始から６０日後に芝生の状態を観察したところ、吸出防止材を埋めた場所の芝生は、他の個所よりも明らかに成長がよかった。
【図面の簡単な説明】
【００８６】
【図１】本発明の護岸工事方法を実施した後の護岸の状態の一例を示す断面模式図である。
【図２】本発明の護岸工事方法を実施した後の護岸の状態の他の一例を示す断面模式図である。
【符号の説明】
【００８７】
１  土壌
３  吸出防止材
４  ネット
５  補強部材係止具
６  補強部材
７  石材
９  裏込材
１０  水
１１  覆土
【図１】
2005282031.tif 000003
【図２】
2005282031.tif 000004